(57)【要約】【課題】  高画質な映像を表示できるようにし、且つ使い勝手を向上させる。【解決手段】ＶＧＡコントローラ１４は、ＬＣＤ１５に表示可能な映像信号を形成する。高画質化エンジン１７は、ＬＣＤ１５により形成される映像信号の高画質化処理を行う。ＣＰＵ１１により実行される制御部は、ＶＧＡコントローラ１４により形成される映像信号を、高画質化エンジン１７を経由せずにＬＣＤ１５へ送る第１の表示モード（通常モード）と、ＶＧＡコントローラ１４により形成される映像信号を、高画質化エンジン１７を経由してＬＣＤ１５へ送る第２の表示モード（高画質モード）とを切り替える。【選択図】      図２
2005316176.tif 000002
【特許請求の範囲】
【請求項１】
表示装置にデータを表示することが可能な電子機器であって、
前記表示装置に表示可能な映像信号を形成する表示コントローラと、
前記表示コントローラにより形成される映像信号の高画質化処理を行う画像処理装置と、
前記表示コントローラにより形成される映像信号を、前記画像処理装置を経由せずに前記表示装置へ送る第１の表示モードと、前記表示コントローラにより形成される映像信号を、前記画像処理装置を経由して前記表示装置へ送る第２の表示モードとを切り替える制御手段と、
を具備することを特徴とする電子機器。
【請求項２】
前記制御手段は、当該電子機器の起動時に、前記第１の表示モードを実行することを特徴とする請求項１記載の電子機器。
【請求項３】
前記制御手段は、前記第１の表示モードが実行されている間、前記画像処理装置を省電力の状態にすることを特徴とする請求項１記載の電子機器。
【請求項４】
前記制御手段は、映像コンテンツの表示を行うときに、前記第２の表示モードへの切り替えを行うことを特徴とする請求項１記載の電子機器。
【請求項５】
前記制御手段は、入力操作に応じて、前記第１の表示モードと前記第２の表示モードとを切り替えることを特徴とする請求項１記載の電子機器。
【請求項６】
当該電子機器の起動時に前記第１の表示モードと前記第２の表示モードのいずれを実行すべきかを設定する設定手段を更に具備し、
前記制御手段は、当該電子機器の起動時に、前記設定手段により設定された内容に示される表示モードを実行することを特徴とする請求項１記載の電子機器。
【請求項７】
前記第１の表示モードが実行されている間に前記画像処理装置を省電力の状態にすべきか電源供給停止状態にすべきかを設定する設定手段を更に具備し、
前記制御手段は、前記第１の表示モードが実行されている間、前記画像処理装置を前記設定手段により設定された内容に示される状態にすることを特徴とする請求項１記載の電子機器。
【請求項８】
映像コンテンツの表示を行うときに前記第２の表示モードへの切り替えを行うべきか否かを設定する設定手段を更に具備し、
前記制御手段は、映像コンテンツの表示を行うときに、前記設定手段により設定された内容に従って制御を行うことを特徴とする請求項１記載の電子機器。
【請求項９】
前記第１の表示モードと前記第２の表示モードとの切り替えを不可にすべきか否かを設定する設定手段を更に具備し、
前記制御手段は、前記設定手段により設定された内容に従って制御を行うことを特徴とする請求項１記載の電子機器。
【請求項１０】
表示装置にデータを表示することが可能な電子機器に適用される表示制御方法であって、
前記表示装置に表示可能な映像信号を表示コントローラにより形成し、
前記表示コントローラにより形成される映像信号を、高画質化処理を行う画像処理装置を経由せずに前記表示装置へ送る第１の表示モードと、前記表示コントローラにより形成された映像信号を、前記画像処理装置を経由して前記表示装置へ送る第２の表示モードとを切り替えることを特徴とする表示制御方法。
【請求項１１】
前記電子機器の起動時に、前記第１の表示モードを実行することを特徴とする請求項１０記載の表示制御方法。
【請求項１２】
前記第１の表示モードが実行されている間、前記画像処理装置を省電力の状態にすることを特徴とする請求項１０記載の表示制御方法。
【請求項１３】
映像コンテンツの表示を行うときに、前記第２の表示モードへの切り替えを行うことを特徴とする請求項１０記載の表示制御方法。
【請求項１４】
入力操作に応じて、前記第１の表示モードと前記第２の表示モードとを切り替えることを特徴とする請求項１０記載の表示制御方法。
【請求項１５】
前記電子機器の起動時に前記第１の表示モードと前記第２の表示モードのいずれを実行すべきかを設定し、
前記電子機器の起動時に、前記設定された内容に示される表示モードを実行することを特徴とする請求項１０記載の表示制御方法。
【請求項１６】
前記第１の表示モードが実行されている間に前記画像処理装置を省電力の状態にすべきか電源供給停止状態にすべきかを設定し、
前記第１の表示モードが実行されている間、前記画像処理装置を前記設定された内容に示される状態にすることを特徴とする請求項１０記載の表示制御方法。
【請求項１７】
映像コンテンツの表示を行うときに前記第２の表示モードへの切り替えを行うべきか否かを設定し、
映像コンテンツの表示を行うときに、前記設定された内容に従って制御を行うことを特徴とする請求項１０記載の表示制御方法。
【請求項１８】
前記第１の表示モードと前記第２の表示モードとの切り替えを不可にすべきか否かを設定し、
前記設定された内容に従って制御を行うことを特徴とする請求項１０記載の表示制御方法。
【発明の詳細な説明】
【技術分野】
【０００１】
本発明は、表示データの高画質化処理を行う機能を備えた電子機器及び表示制御方法に関する。
【背景技術】
【０００２】
近年、ＤＶＤプレーヤやＴＶ装置などのＡＶ機器と同様な機能を備えたパーソナルコンピュータ（ＰＣ）が登場してきている。  
例えば、特許文献１には、ＤＶＤドライブ装置及びＴＶチューナを搭載したＰＣが開示されている。この文献によれば、ＴＶチューナ等から得られるビデオ信号は、画像コントローラによって処理された後、この画像コントローラに直接接続された表示部に表示される。
【０００３】
また、上記文献には、ＯＳを起動させてパソコンとして機能するＰＣモードと、ＡＶ機能ソフトを起動させてＡＶ機器として機能するＡＶモードとを切り替える技術が開示されている。ＡＶモードを用いることにより、例えばＴＶ視聴用のアプリケーションソフトを立ち上げ、サブ表示部に電子番組ガイド表示などを行うことができる。
【特許文献１】特開２００２−１０８４８６号公報（図５など）
【発明の開示】
【発明が解決しようとする課題】
【０００４】
ところで、ＤＶＤドライブ装置やＴＶチューナの機能を生かして十分に高画質な映像を楽しめるようにするには、高画質な映像を形成するための手段が必要となる。しかしながら、上記文献にはそのような手段は設けられていない。
【０００５】
もし、高画質な映像を形成するための手段を設けた場合、機器の電力消費が増大することが予想される。また、高画質表示を開始する際には、初期化や設定処理などにより時間がかかることも予想される。
【０００６】
本発明は上記実情に鑑みてなされたものであり、高画質な映像を表示でき且つ使い勝手を向上させることのできる電子機器及び表示制御方法を提供することを目的とする。
【課題を解決するための手段】
【０００７】
本発明に係る電子機器は、表示装置にデータを表示することが可能な電子機器であって、前記表示装置に表示可能な映像信号を形成する表示コントローラと、前記表示コントローラにより形成される映像信号の高画質化処理を行う画像処理装置と、前記表示コントローラにより形成される映像信号を、前記画像処理装置を経由せずに前記表示装置へ送る第１の表示モードと、前記表示コントローラにより形成される映像信号を、前記画像処理装置を経由して前記表示装置へ送る第２の表示モードとを切り替える制御手段とを具備することを特徴とする。
【０００８】
また、本発明に係る表示制御方法は、表示装置にデータを表示することが可能な電子機器に適用される表示制御方法であって、前記表示装置に表示可能な映像信号を表示コントローラにより形成し、前記表示コントローラにより形成される映像信号を、高画質化処理を行う画像処理装置を経由せずに前記表示装置へ送る第１の表示モードと、前記表示コントローラにより形成された映像信号を、前記画像処理装置を経由して前記表示装置へ送る第２の表示モードとを切り替えることを特徴とする。
【発明の効果】
【０００９】
高画質な映像を表示でき且つ使い勝手を向上させることができる。
【発明を実施するための最良の形態】
【００１０】
以下、図面を参照して本発明の実施形態を説明する。  
図１は、本発明の一実施形態に係る電子機器の外観を示す斜視図である。  
この電子機器は、例えばパーソナルコンピュータ（ＰＣ）であり、機器本体１０１と表示装置１０２とを備えている。表示装置１０２には、情報の表示を行うためのＬＣＤ（Liquid Crystal Display）１５が備えられる。機器本体１には、入力操作されたリモコン１０３から送られてくる赤外線の信号を受光するＩＲ（赤外線）受光部２６、後述する電源スイッチ２７Ａ、ＤＶＤスイッチ２７Ｂ、ＴＶスイッチ２７Ｃ、表示モード切替スイッチ２７Ｄなどが備えられる。
【００１１】
また、電子機器には、リモコン１０３が付属される。このリモコン１０３には、上記電源スイッチ２７Ａ、ＤＶＤスイッチ２７Ｂ、ＴＶスイッチ２７Ｃ、表示モード切替スイッチ２７Ｄとそれぞれ同じ機能を有する電源スイッチ７０Ａ、ＤＶＤスイッチ７０Ｂ、ＴＶスイッチ７０Ｃ、表示モード切替スイッチ７０Ｄが備えられる。
【００１２】
図２は、同実施形態に係る電子機器の構成を示すブロック図である。図１と共通する要素には同一の符号を付している。  
ＣＰＵ１１は、電子機器全体の制御を司るプロセッサであり、例えば各種のプログラムに従って種々な処理を実行する。  
ノースブリッジ１２は、ＣＰＵ１１とのインタフェース機能、サウスブリッジ２０とのハブインタフェース機能を備えるほか、メモリ１３を制御する機能、ＶＧＡコントローラ１４を制御する機能などを備えたブリッジ装置である。
【００１３】
メモリ１３、オペレーティングシステム（ＯＳ）や各種のプログラム、ドライバなどを記憶し、ＣＰＵ２１の作業エリアとして使用される主メモリに該当する。  
ＶＧＡコントローラ１４は、描画データの読み書きを行うためのＶＲＡＭ（Video Random Access Memory）やＬＶＤＳを形成するためのＬＶＤＳ（Ｔｘ）処理部を内蔵しており、ノースブリッジ１２から供給される信号に従って表示装置（ＬＣＤ１５など）に表示可能な映像信号（通常は、ＬＶＤＳ信号）を形成し、形成された映像信号をライン１または２ａへ出力するための制御を行う。また、このＶＧＡコントローラ１４には、ＣＲＴ（Cathode Ray Tube）へ映像信号を出力するためのインタフェースや、Ｓビデオ信号を出力するためのインタフェースが接続されている。
【００１４】
ＬＣＤ１５は、ＬＶＤＳ（Low Voltage Differential Signaling）信号を処理するＬＶＤＳ（Ｒｘ）処理部を備えており、ＶＧＡコントローラ１４又は高画質化エンジン１７からスイッチ１７等を介して送られてくるＬＶＤＳ信号に基づいて映像などの情報を画面表示する。
【００１５】
ＴＭＤＳ（Ｒｘ）処理部１６は、ＶＧＡコントローラ１４からライン２ａを介して送られてくる２４ビットのＲＧＢ信号（ＴＭＤＳ（Transition Minimized Differential Signaling）信号）をデジタル信号に変換し、ライン２ｂへ出力する。
【００１６】
高画質化エンジン（ＨＶＥ： High quality Video Engine）１７は、ＶＲＡＭ１６ａを備えており、ＴＭＤＳ（Ｒｘ）処理部１６からライン２ｂを介して送られてくる２４ビットのＲＧＢ信号に対して高画質化のための画像処理（主に、シャープネス、色補正、応答速度を上げる処理）を行い、１８ビットのＲＧＢ信号に変換してバス２ｃへ出力する。
【００１７】
ＬＶＤＳ（Ｔｘ）処理部１８は、高画質化エンジン１７からライン２ｃを介して送られてくる１８ビットのＲＧＢ信号をＬＶＤＳ信号に変換し、ライン２ｄへ出力する。
【００１８】
スイッチ１９は、信号入力先をライン１と２ｄとの間で切り替えるようＢＩＯＳ等により制御され、入力した信号をＬＣＤ１５へ出力する。
【００１９】
サウスブリッジ２０は、ノースブリッジ１２とのハブインタフェース機能を備えるほか、接続される各種の装置を制御する機能、ＬＰＣ（Low Pin Count）バスを制御する機能、ＰＣＩ（Peripheral Component Interconnect）バスを制御する機能などを備えたブリッジ装置である。  
ＢＩＯＳ−ＲＯＭ２１は、ＢＩＯＳ（Basic Input/Output System）を格納するメモリである。
【００２０】
ハードディスクドライブ（ＨＤＤ）２２は、ＯＳや各種のプログラム、データなどを格納するものである。
【００２１】
オプティカルディスクドライブ（ＯＤＤ）２３は、映像コンテンツなどが記録されたＤＶＤ（Digital Versatile Disk）等を駆動するものである。
【００２２】
ＴＶチューナ部２４は、ＴＶチューナのほか、ＮＴＳＣ／ＰＡＬ（National Television System Committee/Phase Alternation by Line）デコーダや、ＭＰＥＧ２エンコーダ、アンテナなどを備えており、ＴＶ映像コンテンツを取得するものである。
【００２３】
ＥＣ／ＫＢＣ（Embedded Controller/Keyboard Controller）２５は、組み込みコントローラであるＥＣおよびキーボードコントローラとを一体化したものであり、電源管理や入力装置からの信号の処理などを行う。  
上記ＥＣは、内蔵レジスタに保持される各種の情報に基づき、電子機器内部の各種の要素に対する電源管理を行う。例えば、ＥＣは、指定された表示モード（後述）に応じて、回路要素１６〜１８に対する電源供給状態／省電力状態／電源供給停止状態の制御を行う。また、ＥＣは、スイッチ類２７Ａ，２７Ｂ，２７Ｃ，２７Ｄの押下や、リモコン１０３上スイッチ類７０Ａ，７０Ｂ，７０Ｃ，７０Ｄの押下を受信部２６を通じて検出し、対応する処理を実行したり各部へその旨を指示したりする。
【００２４】
受信部２６は、リモコン１０３上スイッチ類７０Ａ，７０Ｂ，７０Ｃ，７０Ｄの押下を示す信号などを受信し、ＥＣ／ＫＢＣ２５へ伝える。
【００２５】
電源スイッチ２７Ａは、電子機器本体の電源のオン／オフを行うためのスイッチである。
【００２６】
ＤＶＤスイッチ２７Ｂは、ＯＤＤに駆動されるＤＶＤの再生開始／停止などを行うためのスイッチである。ＴＶスイッチ２７Ｃは、ＴＶチューナ部２４によるＴＶ映像の受像開始／停止などを行うためのスイッチである。表示モード切替スイッチ２７Ｄは、高画質表示と通常表示との間の切り替えを指示するためのスイッチである。
【００２７】
キーボード２８及びタッチパッド２９は、入力操作に応じた信号をＫＢＣへ送り出す入力装置である。
【００２８】
電源コントローラ（ＰＳＣ）３０は、電子機器内部の各種の要素に供給すべき電力を制御するものであり、Ｉ2Ｃバスを介してＥＣにより制御される。バッテリ３１は、リチャージャブルな電池であり、ＡＣ電源が使用されていないときに使用される。
【００２９】
図３は、電子機器のメモリ１３に記憶されるプログラム等を示す図である。  
同図に示されるように、メモリ１３上には、ＣＰＵにより実行されるＯＳ４１、ドライバ４２、アプリケーション４３が記憶される。また、アプリケーション４３には、制御部５１や設定処理部５２などが含まれる。
【００３０】
制御部５１は、ＶＧＡコントローラ１４により形成される映像信号を、高画質化エンジン１７等を経由せずにＬＣＤ１５へ送る第１の表示モード（以下、通常モードと称す）と、ＶＧＡコントローラ１４により形成される映像信号を、高画質化エンジン１７等を経由してＬＣＤ１５へ送る第２の表示モード（以下、高画質モードと称す）とを切り替えるものである。
【００３１】
例えば、制御部５１は、ＤＶＤから再生される映像コンテンツやＴＶチューナから取得される映像コンテンツの表示を開始／停止するときには、高画質モードへの切り替え／通常モードへの切り替えを行う。また、制御部５１は、表示モード切替スイッチ２７Ｄやリモコン上の対応するスイッチ７０Ｄが押下されたときにも、高画質モードへの切り替え／通常モードへの切り替えを行う。
【００３２】
設定処理部５２は、ＬＣＤ１５上の設定用画面を通じてユーザが入力する情報に基づき、表示モードに関する設定処理を行うものである。この場合の設定用画面の一例を図４に示す。
【００３３】
図４に示されるように、設定用画面には、複数の設定項目６１〜６４が設けられる。  
設定項目６１は、現在の表示モードを通常モードにすべきか高画質モードにすべきかを設定するための項目である。  
設定項目６２は、電子機器の起動時に表示モードを通常モードにすべきか高画質モードにすべきかを設定するための項目である。  
設定項目６３は、通常モードが実行されている間に高画質化エンジン１７ならびにＴＭＤＳ（Ｒｘ）処理部１６及びＬＶＤＳ（Ｔｘ）処理部１８を省電力の状態にすべきか電源供給停止状態にすべきかを設定するための項目である。  
設定項目６４は、映像コンテンツの表示を行うときに高画質モードへの自動切り替えを行うべきか否かを設定するための項目である。この自動切替を行うように設定する場合、ＤＶＤの使用時に自動切替を行うべきか、ＴＶの使用時に自動切替を行うべきかを、併せて設定することができる。一方、この自動切替を不可に設定し、手動（表示モード切替スイッチ２７Ｄの操作や項目６１の入力など）による切替のみを有効に設定することもできる。また、自動切替も手動切替も不可に設定することもできる。  
設定用画面上で必要な入力操作を行った後、ＯＫボタンを押下することにより、設定内容が所定の記録領域に記憶される。記憶された設定内容は、電子機器の起動時にＢＩＯＳにより使用されたり、通常動作中にＯＳのもとで動作する制御部５１により使用されたりする。
【００３４】
次に、図５を参照して、基本的な動作について説明する。なお、ここでは、表示モードの自動切替が行われるように予め設定されているものとする。
【００３５】
例えばユーザが電機機器の電源スイッチ２７Ａを操作すると、電源がオン状態となり（ステップＳ１）、システムが起動する（ステップＳ２）。
【００３６】
ＢＩＯＳ又は制御部５１（以下、制御部と称す）は、所定の記憶領域に記憶されている設定内容を読み込み（ステップＳ３）、その設定内容に基づき、通常表示にすべきか高画質表示にすべきかを判別する（ステップＳ４）。
【００３７】
通常表示にすべき場合、制御部は、上記設定内容に基づき、高画質化エンジン１７ならびにＴＭＤＳ（Ｒｘ）処理部１６及びＬＶＤＳ（Ｔｘ）処理部１８（以下、高画質化エンジン１７等と称す）を省電力の状態にすべきか電源供給停止状態にすべきかを判別する（ステップＳ５）。
【００３８】
省電力の状態にすべき場合、制御部は、高画質化エンジン１７等を省電力の状態にし、映像信号がＶＧＡコントローラ１４から高画質化エンジン１７等を経由せずにＬＣＤ１５へ送られるようにする（ステップＳ６）。高画質表示にすべき場合、制御部は、高画質化エンジン１７等を電源供給停止状態にし、映像信号がＶＧＡコントローラ１４から高画質化エンジン１７等を経由せずにＬＣＤ１５へ送られるようにする（ステップＳ７）。
【００３９】
その後、ＤＶＤやＴＶによる映像コンテンツの再生指示があった場合（ステップＳ８）、制御部は、高画質化エンジン１７等に電源を供給して通常の動作状態にし、映像信号がＶＧＡコントローラ１４から高画質化エンジン１７等を経由してＬＣＤ１５へ送られるようにする（ステップＳ９）。
【００４０】
その後、上記映像コンテンツの再生停止指示があった場合（ステップＳ１０）、制御部は、前述のステップＳ５以降に示したように、高画質化エンジン１７等を省電力状態もしくは電源供給停止状態にし、映像信号がＶＧＡコントローラ１４から高画質化エンジン１７等を経由せずにＬＣＤ１５へ送られるようにする。
【００４１】
次に、図６を参照して、表示モードの切替禁止に関する動作について説明する。  
電子機器は通常動作を行っている（ステップＳ１１）。このとき制御部は、現在の表示モードに対し、自動（もしくは手動）による切替要求があるか否かを監視している（ステップＳ１２）。
【００４２】
切替要求があった場合、制御部は、所定の記憶領域に記憶されている設定内容に基づき、その切替が不可となっているか否かを判別する（ステップＳ１３）。
【００４３】
切替が不可であれば、その切替要求を拒絶し、ＬＣＤ１５上にその旨のメッセージ（例えば「表示モードの切替が不可に設定されています。」）を表示する（ステップＳ１４）。一方、切替が可であれば、その切替要求を受け入れ、切替処理を実行する（ステップＳ１５）。
【００４４】
このように、本実施形態によれば、電子機器の起動時や通常動作中に表示モードの自動切替や手動切替をユーザが望む通りに実行することができ、高画質表示を必要としないときには省電力化も図れるので、ユーザにとって使い勝手がよい。
【００４５】
また、高画質表示を必要としないときには高画質化エンジン等が省電力の状態となるように予め設定しておくことにより、高画質表示が必要となった際にすぐに高画質化エンジンを通常の動作状態に移行させることができ、映像コンテンツの再生を即座に開始することができる。
【００４６】
また、表示モードの切替が不可となるように（禁止されるように）予め設定しておくことにより、ユーザは例えば省電力を重視した使い方や、高画質表示を重視した使い方を実行することができる。
【００４７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４８】
【図１】本発明の一実施形態に係る電子機器の外観を示す斜視図。
【図２】同実施形態に係る電子機器の構成を示すブロック図。
【図３】電子機器のメモリに記憶されるプログラム等を示す図。
【図４】設定用画面の一例を示す図。
【図５】基本的な動作を示すフローチャート。
【図６】表示モードの切替禁止に関する動作を示すフローチャート。
【符号の説明】
【００４９】
１１…ＣＰＵ、１２…ノースブリッジ、１３…メモリ、１４…ＶＧＡコントローラ、１５…ＬＣＤ、１６…ＴＭＤＳ（Ｒｘ）処理部、１７…高画質化エンジン（ＨＶＥ）、１８…ＬＶＤＳ（Ｔｘ）処理部、１９…スイッチ、２０…サウスブリッジ、２１…ＢＩＯＳ−ＲＯＭ、２２…ハードディスクドライブ（ＨＤＤ）、２３…オプティカルディスクドライブ（ＯＤＤ）、２４…ＴＶチューナ部、２５…ＥＣ／ＫＢＣ、２６…受信部、２７Ａ…電源スイッチ、２７Ｂ…ＤＶＤスイッチ、２７Ｃ…ＴＶスイッチ、２７Ｄ…表示モード切替スイッチ、２８…キーボード、２９…タッチパッド、３０…電源コントローラ（ＰＳＣ）、４１…ＯＳ、４２…ドライバ、４３…アプリケーション、５１…制御部、５２…設定処理部、６１〜６４…設定項目、１０１…機器本体、１０２…表示装置、１０３…リモコン。
【図１】
2005316176.tif 000003
【図２】
2005316176.tif 000004
【図３】
2005316176.tif 000005
【図４】
2005316176.tif 000006
【図５】
2005316176.tif 000007
【図６】
2005316176.tif 000008